(57)【要約】本発明のスタンドを兼ねた自撮り棒は、ケース本体；ケース本体の背面に付着される付着円形板；付着円形板に結合されて回転可能な付着円形板結合部と、付着円形板結合部から延びる延長部からなるケース本体支持部；ケース本体支持部から離隔可能に折り畳まれるように、ヒンジ結合される折り畳み部；折り畳み部の長さ方向に延長形成されて折り畳み部を支持し、スタンドと取っ手の役割を遂行するようにする折り畳み部支持部；折り畳み部から折り畳み部支持部を離隔させて折り畳み部および折り畳み部支持部とともに自撮り棒の役割を遂行するようにする第１伸縮棒および第２伸縮棒；を含む。【選択図】図１
2021510208.tif 000002
【特許請求の範囲】
【請求項１】
スマートフォン（１）が横になるように収容される空間が備えられたケース本体（２）の背面に付着され、円形板からなる付着円形板（１０）、
前記付着円形板（１０）の外周縁に着脱されるように結合されて回転可能な付着円形板結合部（２１）と、前記付着円形板結合部（２１）から前記ケース本体（２）の外側方向に延びる延長部（２２）からなるケース本体支持部（２０）、
前記ケース本体支持部（２０）と接するか前記ケース本体支持部（２０）から離隔可能に折り畳まれるように、前記ケース本体支持部（２０）の前記延長部（２２）の端部に一側端部がヒンジ結合され、前記ケース本体支持部（２０）を支持する板状の折り畳み部（３０）、
前記折り畳み部（３０）の他側端部に位置し、前記折り畳み部（３０）の長さ方向に延長形成されて前記折り畳み部（３０）を支持する板状とされ、後方面が底に支持された状態ではスタンドの役割を遂行し、スマートフォン（１）の自撮り撮影時には取っ手の役割を遂行するようにする折り畳み部支持部（４０）、および、
前記折り畳み部（３０）の他側端部と前記折り畳み部支持部（４０）の一側端部の両方をそれぞれ連結し、さらに、前記折り畳み部（３０）の他側端部が前記折り畳み部支持部（４０）の一側端部と接するようにして前記折り畳み部支持部（４０）の支持を補助したり、前記折り畳み部（３０）から前記折り畳み部支持部（４０）を離隔させて前記折り畳み部（３０）および前記折り畳み部支持部（４０）とともに自撮り棒の役割を遂行するようにする第１伸縮棒（５１）および第２伸縮棒（５２）、
を含んで構成されることを特徴とする、スタンドを兼ねた自撮り棒。
【請求項２】
前記付着円形板（１０）の外周縁には、前記付着円形板結合部（２１）が結合された状態で前記付着円形板結合部（２１）が前記付着円形板（１０）の厚さ方向に離脱することを防止するようにする係止段（１１）が形成され、
前記付着円形板結合部（２１）は前記付着円形板（１０）が挿入されて結合され得るように一側に開口部（２１ａ）が形成されたＣ字状をなし、
前記延長部（２２）は前記付着円形板結合部（２１）と隣接する部位に前記付着円形板（１０）と前記付着円形板結合部（２１）の結合時に前記付着円形板結合部（２１）の前記開口部（２１ａ）が広がることができるように複数個の切開部（２２ａ）が備えられることを特徴とする、請求項１に記載のスタンドを兼ねた自撮り棒。
【請求項３】
前記折り畳み部支持部（４０）の中央部の上に収容されて備えられ、前記折り畳み部支持部（４０）に収容されるか前記折り畳み部支持部（４０）の後方に回動可能に折り畳まれるように、前記折り畳み部（３０）と近接する前記折り畳み部支持部（４０）の上部部位にヒンジ結合され、前記折り畳み部支持部（４０）が前記折り畳み部（３０）から前方に傾くように回動した状態で、前記折り畳み部支持部（４０）と逆「Ｖ」字状をなすように前記折り畳み部支持部（４０）の後方に回動して前記折り畳み部支持部（４０）の後方を支持するようにし、前記折り畳み部支持部（４０）とともに前記ケース本体支持部（２０）を支持することによって、前記ケース本体支持部（２０）の付着円形板結合部（２１）に結合された付着円形板（１０）に付着された前記ケース本体（２）に収容されたスマートフォン（１）を支持するようにし、折り畳まれた状態では前記折り畳み部支持部（４０）とスタンドおよび取っ手の役割を遂行する折り畳み部支持部用後方支持部（６０）、
がさらに備えられることを特徴とする、請求項１に記載のスタンドを兼ねた自撮り棒。
【請求項４】
前記折り畳み部支持部用後方支持部（６０）は、
上部が前記折り畳み部支持部（４０）の上部部位とヒンジ結合され、下部部位に挿入部（６１ａ）が備えられた上部後方支持部（６１）と、
前記上部後方支持部（６１）の下部に備えられ、両側に前記上部後方支持部（６１）の挿入部（６１ａ）が挿入結合されて前記挿入部（６１ａ）の引き入れおよび引き出しを可能とする一対の挿入部結合ガイド（６２ａ）が備えられた下部後方支持部（６２）からなることを特徴とする、請求項３に記載のスタンドを兼ねた自撮り棒。
【請求項５】
前記下部後方支持部（６２）は前記一対の挿入部結合ガイド（６２ａ）の内側に前記挿入部（６１ａ）の引き入れ・引き出し方向に多数個の係止溝（６２ｂ）が離隔形成され、
前記上部後方支持部（６１）の挿入部（６１ａ）は、
下部部位に前記係止溝（６２ｂ）に挿入されて前記下部後方支持部（６２）を前記上部後方支持部（６１）に固定されるようにする前記係止突起（６１ｂ）が備えられ、
前記係止突起（６１ｂ）が含まれるように「コ」の字状に切開されて形成され、前記挿入部（６１ａ）の引き入れ・引き出し方向と直交する方向への押圧によって前記係止突起（６１ｂ）が前記係止溝（６２ｂ）から離隔するようにして前記挿入部（６１ａ）の引き入れおよび引き出しを可能とする弾性片（６１ｃ）が備えられることを特徴とする、請求項４に記載のスタンドを兼ねた自撮り棒。
【請求項６】
「コ」の形状とされ、内側が前記下部後方支持部（６２）の下端部位の外側にヒンジ結合され、回動して底に接して前記下部後方支持部（６２）の支持を補助する下部後方支持部補助支持部（６３）がさらに備えられることを特徴とする、請求項５に記載のスタンドを兼ねた自撮り棒。
【請求項７】
前記折り畳み部支持部（４０）には前記スマートフォンを充電するための補助バッテリ（７０）が内部に搭載されることを特徴とする、請求項１に記載のスタンドを兼ねた自撮り棒。
【請求項８】
前記折り畳み部支持部（４０）にはスマートフォンの撮影を遠隔操作するためのリモートコントローラー（２）が着脱されるリモートコントローラー着脱溝（６４）が備えられることを特徴とする、請求項１に記載のスタンドを兼ねた自撮り棒。
【発明の詳細な説明】
【技術分野】
【０００１】
本発明は、変形によってスマートフォンを使用者が一人で遠く離隔させて、スマートフォンを利用してカメラの自撮り撮影を可能とする自撮り棒の役割の遂行およびスマートフォンを据え置くスタンドの役割を遂行できるようにするスタンドを兼ねた自撮り棒に関する。
【背景技術】
【０００２】
一般的に自撮り棒は、スマートフォンを利用して他人の助けを借りることなく自分の姿を背景と適合させて撮影するのが困難であったため考案された装置である。
【０００３】
自撮り棒の一般的な構成は、スマートフォンを据え置く据置部と、据置部の下端に連結されて携帯時には長さを短く維持し使用時には長さを長く延長させて使う延長台が備えられ、前記延長台は伸縮が可能な棒状になっている。
【０００４】
このような自撮り棒はスマートフォンと別途に備えられる付加装置であって、延長台が伸縮可能な棒状になっているためスマートフォンと共に携帯するのが容易でないという問題点がある。
【０００５】
一方、スマートフォンケースはスマートフォンの着脱を可能とする着脱部を具備するものであって、スマートフォンの損傷防止の役割を遂行する。前記スマートフォンケースは通常スマートフォンと略同等な幅と厚さを有するため、スマートフォンの携帯時にスマートフォンケースにスマートフォンが収容された状態で携帯することになる。
【０００６】
しかし、自撮り棒はスマートフォンと共に携帯するのが容易でないため、自撮り棒をスマートフォンと共に携帯しやすくする自撮り棒の開発が要求されている。
【０００７】
一方、スマートフォンスタンドは、スマートフォンが据え置かれるようにしてスマートフォンを手に持たない状態でスマートフォンを使用できるようにする役割を遂行するものである。
【０００８】
スマートフォンスタンドは自撮り棒と同様にスマートフォンとは別個に備えられる付加装置であって、そのほとんどは固定式となっているためスマートフォンと共に携帯するのが容易でないという問題点がある。
【０００９】
スマートフォンと共に携帯できるようにするスマートフォンスタンドもあるが、スマートフォンの据置角度を調節できるようにする機能に止まっている。スマートフォンの据置高さを調節する機能のあるスマートフォンスタンドは、携帯性に劣っているため使用者が携帯を敬遠するという問題点があり、しかも自撮り棒の役割を遂行する機能は全くない。
【００１０】
このような問題点を解決するために、本出願人が出願して登録を受けた韓国登録特許第１０−１７９２４１２号（発明の名称：スタンドを兼ねた自撮り用スマートフォンケース）がある。
【００１１】
前記スタンドを兼ねた自撮り用スマートフォンケースはスマートフォンの据え置き時に据え置く過程が複雑であるという問題点がある。
【００１２】
また、自撮り用として使わない場合、すなわち、スマートフォンのみを持ち歩く場合にはケースをスマートフォンと分離させなければならないが、この時、ケース本体をスマートフォンから完全に除去させなければならないので、スマートフォンを保護するための別途のケースを具備しなければならない。
【先行技術文献】
【特許文献】
【００１３】
【特許文献１】韓国登録特許第１０−１７９２４１２号公報
【発明の概要】
【発明が解決しようとする課題】
【００１４】
本発明は前記のような問題点を解決するために案出されたものであって、本発明の目的は、スマートフォンの据え置き時に据え置く過程が簡単であり、自撮り用および据え置き用として使わない場合には簡便に分離させてスマートフォンの携帯を容易とするスタンドを兼ねた自撮り棒を提供するものである。
【００１５】
本発明の他の目的は、スマートフォンのスタンド用および自撮り用だけでなく、スマートフォンの充電機能を遂行できるようにするスタンドを兼ねた自撮り棒を提供するものである。
【課題を解決するための手段】
【００１６】
前記の目的を達成するための本発明のスタンドを兼ねた自撮り棒は、スマートフォン１が横になるように収容される空間が備えられたケース本体２の背面に付着され、円形板からなる付着円形板１０；前記付着円形板１０の外周縁に着脱されるように結合されて回転可能な付着円形板結合部２１と、前記付着円形板結合部２１から前記ケース本体２の外側方向に延びる延長部２２からなるケース本体支持部２０；前記ケース本体支持部２０と接するか前記ケース本体支持部２０から離隔可能に折り畳まれるように、前記ケース本体支持部２０の前記延長部２２の端部に一側端部がヒンジ結合され、前記ケース本体支持部２０を支持する板状の折り畳み部３０；前記折り畳み部３０の他側端部に位置し、前記折り畳み部３０の長さ方向に延長形成されて前記折り畳み部３０を支持する板状とされ、後方面が底に支持された状態ではスタンドの役割を遂行し、スマートフォン１の自撮り撮影時には取っ手の役割を遂行するようにする折り畳み部支持部４０；前記折り畳み部３０の他側端部と前記折り畳み部支持部４０の一側端部の両方をそれぞれ連結し、さらに、前記折り畳み部３０の他側端部が前記折り畳み部支持部４０の一側端部と接するようにして前記折り畳み部支持部４０の支持を補助したり、前記折り畳み部３０から前記折り畳み部支持部４０を離隔させて前記折り畳み部３０および前記折り畳み部支持部４０とともに自撮り棒の役割を遂行するようにする第１伸縮棒５１および第２伸縮棒５２；を含んで構成されることを特徴とする。
【００１７】
また、前記付着円形板１０の外周縁には前記付着円形板結合部２１が結合された状態で、前記付着円形板結合部２１が前記付着円形板１０の厚さ方向に離脱することを防止するようにする係止段１１が形成され、前記付着円形板結合部２１は前記付着円形板１０が挿入されて結合され得るように一側に開口部２１ａが形成されたＣ字状をなし、前記延長部２２は前記付着円形板結合部２１と隣接する部位に前記付着円形板１０と前記付着円形板結合部２１の結合時に前記付着円形板結合部２１の前記開口部２１ａが広がることができるように複数個の切開部２２ａが備えられることを特徴とする。
【００１８】
また、前記折り畳み部支持部４０の中央部の上に収容されて備えられ、前記折り畳み部支持部４０に収容されるか前記折り畳み部支持部４０の後方に回動可能に折り畳まれるように、前記折り畳み部３０と近接する前記折り畳み部支持部４０の上部部位にヒンジ結合され、前記折り畳み部支持部４０が前記折り畳み部３０から前方に傾くように回動した状態で、前記折り畳み部支持部４０と逆「Ｖ」字状をなすように前記折り畳み部支持部４０の後方に回動して前記折り畳み部支持部４０の後方を支持するようにし、前記折り畳み部支持部４０とともに前記ケース本体支持部２０を支持することによって、前記ケース本体支持部２０の付着円形板結合部２１に結合された付着円形板１０に付着された前記ケース本体２に収容されたスマートフォン１を支持するようにし、折り畳まれた状態では前記折り畳み部支持部４０とスタンドおよび取っ手の役割を遂行する折り畳み部支持部用後方支持部６０；がさらに備えられることを特徴とする。
【００１９】
併せて、前記折り畳み部支持部用後方支持部６０は、上部が前記折り畳み部支持部４０の上部部位とヒンジ結合され、下部部位に挿入部６１ａが備えられた上部後方支持部６１と、前記上部後方支持部６１の下部に備えられ、両側に前記上部後方支持部６１の挿入部６１ａが挿入結合されて前記挿入部６１ａの引き入れおよび引き出しを可能とする一対の挿入部結合ガイド６２ａが備えられた下部後方支持部６２からなることを特徴とする。
【００２０】
また、前記下部後方支持部６２は前記一対の挿入部結合ガイド６２ａの内側に前記挿入部６１ａの引き入れ・引き出し方向に多数個の係止溝６２ｂが離隔形成され、前記上部後方支持部６１の挿入部６１ａは、下部部位に前記係止溝６２ｂに挿入されて前記下部後方支持部６２を前記上部後方支持部６１に固定されるようにする前記係止突起６１ｂが備えられ、前記係止突起６１ｂが含まれるように「コ」の形状に切開されて形成され、前記挿入部６１ａの引き入れ・引き出し方向と直交する方向への押圧によって前記係止突起６１ｂが前記係止溝６２ｂから離隔するようにして前記挿入部６１ａの引き入れおよび引き出しを可能とする弾性片６１ｃが備えられることを特徴とする。
【００２１】
併せて、「コ」の形状とされ、内側が前記下部後方支持部６２の下端部位の外側にヒンジ結合され、回動して底に接して前記下部後方支持部６２の支持を補助する下部後方支持部補助支持部６３がさらに備えられることを特徴とする。
【００２２】
また、前記折り畳み部支持部４０には前記スマートフォンを充電するための補助バッテリ７０が内部に搭載されることを特徴とする。
【発明の効果】
【００２３】
前記のような構成による本発明のスタンドを兼ねた自撮り棒は、スタンドおよび自撮り棒として使う場合にはスマートフォンケースに結合して使用し、スタンドおよび自撮り棒として使わない場合には簡便に分離させてスマートフォンケースのみを携帯できるため、非常に便利な長所がある。
【００２４】
併せて、スマートフォンの据え置き時に据え置く過程が簡単で使用が簡便な長所がある。
【００２５】
併せて、スマートフォンを落とした場合、スマートフォンケースから分離されながら衝撃を吸収することになるため、落下によるスマートフォンの損傷を最小化できる長所がある。
【図面の簡単な説明】
【００２６】
【図１】本発明のスタンドを兼ねた自撮り棒の作動状態を示した図面。
【図２】本発明のスタンドを兼ねた自撮り棒の作動状態を示した図面。
【図３】本発明のスタンドを兼ねた自撮り棒の作動状態を示した図面。
【図４】付着円形板からケース本体支持部が分離された状態を示した図面。
【図５】付着円形板にケース本体支持部が結合された状態を示した図面。
【図６】付着円形板にケース本体支持部が分離された状態を示した図面。
【図７】スマートフォンを横方向に立てた状態で据え置かれるようにするスタンドの役割を遂行する状態を示した図面。
【図８】スマートフォンを横方向に立てた状態で据え置かれるようにするスタンドの役割を遂行する状態を示した図面。
【図９】スマートフォンを横方向に立てた状態で据え置かれるようにするスタンドの役割を遂行する状態を示した図面。
【図１０】スマートフォンを横方向に立てた状態で据え置かれるようにするスタンドの役割を遂行する状態を示した図面。
【図１１】下部後方支持部と上部後方支持部の結合構造を示した分解斜視図。
【図１２】下部後方支持部と上部後方支持部の結合構造を示した分解斜視図。
【図１３】本発明のスタンドを兼ねた自撮り棒が自撮り用として使われる作動状態を示した図面。
【図１４】本発明のスタンドを兼ねた自撮り棒が自撮り用として使われる作動状態を示した図面。
【図１５】スタンドを兼ねた自撮り棒が充電に使われる状態を示した図面。
【図１６】スタンドを兼ねた自撮り棒が充電に使われる状態を示した図面。
【図１７】本発明に係る他の形態のスタンドを兼ねた自撮り棒を示す図面。
【発明を実施するための形態】
【００２７】
以下、本発明のスタンドを兼ねた自撮り棒を図面を参照して詳細に説明する。
【００２８】
図１〜図３は本発明のスタンドを兼ねた自撮り棒の作動状態を示した図面であり、図４は付着円形板からケース本体支持部が分離された状態を示した図面であり、図５は付着円形板にケース本体支持部が結合された状態を示した図面であり、図７〜図１０はスマートフォンを横方向に立てた状態で据え置かれるようにするスタンドの役割を遂行する状態を示した図面であり、図１１および図１２は下部後方支持部と上部後方支持部の結合構造を示した分解斜視図であり、図１３〜図１４は本発明のスタンドを兼ねた自撮り棒が自撮り用として使われる作動状態を示した図面であり、図１５および図１６はスタンドを兼ねた自撮り棒が充電に使われる状態を示した図面であり、図１７は本発明に係る他の形態のスタンドを兼ねた自撮り棒を示す図面である。
【００２９】
本発明によるスタンドを兼ねた自撮り棒は、付着円形板１０；ケース本体支持部２０；折り畳み部３０；折り畳み部支持部４０；第１伸縮棒５１および第２伸縮棒５２；を含んで構成される。
【００３０】
ケース本体２はスマートフォン１が横になるように収容される空間が備えられる。前記ケース本体２は前面にスマートフォン１を挿入してスマートフォンの縁を固定し、スマートフォン１の背面をカバーする一般のケースである。
【００３１】
前記付着円形板１０は前記ケース本体２の背面に付着され、円形板からなる。前記付着円形板１０とケース本体２との付着はリベットの形態で付着され得るが、好ましくは両面テープで付着することが好ましい。
【００３２】
前記ケース本体支持部２０は付着円形板結合部２１と、延長部２２からなる。
【００３３】
前記付着円形板結合部２１は、前記付着円形板１０の外周縁に着脱されるように結合されて前記付着円形板１０から回転可能である。
【００３４】
前記延長部２２は前記付着円形板結合部２１から前記ケース本体２の外側方向に延びる。前記延長部２２の端部部位には折り畳み部３０がヒンジ結合される。
【００３５】
前記折り畳み部３０は、前記ケース本体支持部２０と接するか前記ケース本体支持部２０から離隔可能に折り畳まれるように、前記ケース本体支持部２０の前記延長部２２の端部に一側端部がヒンジ結合され、前記ケース本体支持部２０を支持する板状のものである。
【００３６】
前記折り畳み部支持部４０は、前記折り畳み部３０の他側端部に位置し、前記折り畳み部３０の長さ方向に延長形成されて前記折り畳み部３０を支持する板状のものである。前記折り畳み部支持部４０は後方面が底に支持された状態ではスタンドの役割を遂行し、スマートフォン１の自撮り撮影時には取っ手の役割を遂行するようにする。
【００３７】
前記第１伸縮棒５１および第２伸縮棒５２は、前記折り畳み部３０の他側端部と前記折り畳み部支持部４０の一側端部の両方をそれぞれ連結し、さらに、前記折り畳み部３０の他側端部が前記折り畳み部支持部４０の一側端部と接するようにして前記折り畳み部支持部４０の支持を補助したり、前記折り畳み部３０から前記折り畳み部支持部４０を離隔させて前記折り畳み部３０および前記折り畳み部支持部４０とともに自撮り棒の役割を遂行するようにする。
【００３８】
前記のように構成された本発明のスタンドを兼ねた自撮り棒は次のように使われる。
【００３９】
スマートフォン１が横になるように収容される空間が備えられたケース本体２を回転させると、図１の状態となる。図１の状態でケース本体２を鋭角に回動させると、ケース本体支持部２０の付着円形板結合部２１が付着円形板１０に結合されており、ケース本体支持部２０の延長部２２は折り畳み部３０にヒンジ結合されるため、折り畳み部３０からケース本体支持部２０が回動するようになり、図２の状態となる。図２の状態でケース本体２をさらに回動させてケース本体２が折り畳み部３０と鈍角をなすことになると図３の状態となる。図３は後述する図１３と同じ状態である。後述するが、図１３の状態ではスマートフォンが横方向に立てられた状態で支持するスマートフォンスタンドの役割を遂行できる。
【００４０】
図４は付着円形板１０からケース本体支持部２０の付着円形板結合部２１が分離される状態を示した図面であり、図５は付着円形板１０にケース本体支持部２０の付着円形板結合部２１が結合された状態を示した図面である。
【００４１】
図面に示したように、図６に示したように、付着円形板１０からケース本体支持部２０の付着円形板結合部２１を分離させると、ケース本体２は付着円形板１０が付着された状態で携帯できるようになり、ケース本体２はスマートフォンを収容して保護するケース本来の役割を遂行できるようになる。
【００４２】
分離された装置はケース本体２とは別途に携帯するようにし、スマートフォンスタンドおよび自撮り棒が必要な場合には前記ケース本体支持部２０の付着円形板結合部２１を付着円形板１０に結合させて使えば良い。
【００４３】
前記付着円形板結合部２１を前記付着円形板１０に結合しやすくするために、前記付着円形板結合部２１は開口部２１ａが形成されたＣ字状とされ、前記延長部２２は切開部２２ａが備えられるようにする（図４参照）。
【００４４】
前記付着円形板結合部２１は前記付着円形板１０が挿入されて結合され得るように、一側に開口部２１ａが形成されたＣ字状をなす。
【００４５】
前記延長部２２は前記付着円形板結合部２１と隣接する部位に、前記付着円形板１０と前記付着円形板結合部２１の結合時に前記付着円形板結合部２１の前記開口部２１ａが広がることができるように複数個の切開部２２ａが備えられる。
【００４６】
前記延長部２２は、前記付着円形板結合部２１が前記付着円形板１０に結合された状態で前記付着円形板１０から分離された後に、前記切開部２２ａにより広がった前記付着円形板結合部２１の前記開口部２１ａが結合前の状態に復元できるように弾性材質からなることが好ましい。
【００４７】
併せて、前記付着円形板１０の外周縁には、前記付着円形板結合部２１が結合された状態で前記付着円形板結合部２１が前記付着円形板１０の厚さ方向に離脱することを防止するようにする係止段１１が形成されるようにする（図７参照）。
【００４８】
また、前記付着円形板１０の外周縁には、前記付着円形板１０に結合される前記付着円形板結合部２１の回転が容易なように前記ベアリングが備えられてもよい。
【００４９】
併せて、前記付着円形板１０の外周縁には、前記延長部２２の延長方向とケース本体１０の横方向がなす角度が９０度になる位置で、カタンと係止するように係止突起が備えられ、前記付着円形板結合部２１には前記係止突起に相応する位置に係止溝が備えられることが好ましい。このような係止突起および係止溝によってスマートフォンを横方向に立てた状態で据え置かれるようにしたり、自撮り撮影のためのスマートフォンの角度調節が容易となる。
【００５０】
ケース本体２を回動させてケース本体２が折り畳み部３０と鈍角をなす図３の状態（図１３と同じ状態である）では、折り畳み部３０と折り畳み部支持部４０を底に接した状態で置くと、それ自体でスマートフォン１を横方向に立てた状態で据え置くことになる。
【００５１】
図３および図１３の状態はスマートフォン１が据え置かれた状態の位置が低い状態である。
【００５２】
図３および図１３の状態よりスマートフォン１が据え置かれた状態の位置を高くするためには、本発明は折り畳み部支持部４０に折り畳み部支持部用後方支持部６０が備えられるようにする。
【００５３】
前記折り畳み部支持部用後方支持部６０は、前記折り畳み部支持部４０の中央部の上に収容されて備えられ、前記折り畳み部支持部４０に収容されるか前記折り畳み部支持部４０の後方に回動可能に折り畳まれるように、前記折り畳み部３０と近接する前記折り畳み部支持部４０の上部部位にヒンジ結合される。併せて、前記折り畳み部支持部用後方支持部６０は、前記折り畳み部支持部４０が前記折り畳み部３０から前方に傾くように回動した状態で、前記折り畳み部支持部４０と逆「Ｖ」字状をなすように前記折り畳み部支持部４０の後方に回動して前記折り畳み部支持部４０の後方を支持するようにし、前記折り畳み部支持部４０とともに前記ケース本体支持部２０を支持することによって、前記ケース本体支持部２０の付着円形板結合部２１に結合された付着円形板１０に付着された前記ケース本体２に収容されたスマートフォン１を支持するようにし、折り畳まれた状態では前記折り畳み部支持部４０とスタンドおよび取っ手の役割を遂行することになる。
【００５４】
併せて、前記折り畳み部支持部用後方支持部６０は、上部後方支持部６１と、下部後方支持部６２で構成されることが好ましい。
【００５５】
前記上部後方支持部６１は上部が前記折り畳み部支持部４０の上部部位とヒンジ結合され、下部部位に挿入部６１ａが備えられる。
【００５６】
前記下部後方支持部６２は前記上部後方支持部６１の下部に備えられ、両側に前記上部後方支持部６１の挿入部６１ａが挿入結合されて前記挿入部６１ａの引き入れおよび引き出しを可能とする一対の挿入部結合ガイド６２ａが備えられる。
【００５７】
また、前記下部後方支持部６２は前記一対の挿入部結合ガイド６２ａの内側に前記挿入部６１ａの引き入れ・引き出し方向に多数個の係止溝６２ｂが離隔形成されることが好ましい。併せて、前記上部後方支持部６１の挿入部６１ａは、下部部位に前記係止溝６２ｂに挿入されて前記下部後方支持部６２を前記上部後方支持部６１に固定されるようにする前記係止突起６１ｂが備えられる。また、前記上部後方支持部６１の挿入部６１ａは、前記係止突起６１ｂが含まれるように「コ」の字状に切開されて形成され、前記挿入部６１ａの引き入れ・引き出し方向と直交する方向への押圧によって前記係止突起６１ｂが前記係止溝６２ｂから離隔するようにして前記挿入部６１ａの引き入れおよび引き出しを可能とする弾性片６１ｃが備えられることが好ましい。このように、前記折り畳み部支持部用後方支持部６０が上部後方支持部６１と、下部後方支持部６２からなって、下部後方支持部６２の挿入部６１ａの引き入れおよび引き出しが可能となると、スマートフォンの据置高さおよび立てる角度の調節が可能となる。
【００５８】
併せて、前記下部後方支持部６２の支持面積を広げて安定的に支持されるようにするために、前記下部後方支持部６２の下端部位に下部後方支持部補助支持部６３が備えられるようにすることが好ましい。
【００５９】
前記下部後方支持部補助支持部６３は、「コ」の形状とされ、内側が前記下部後方支持部６２の下端部位の外側にヒンジ結合され、回動して底に接して前記下部後方支持部６２の支持を補助する役割をする。
【００６０】
前記下部後方支持部補助支持部６３の下端は前記下部後方支持部６２よりも低いように結合されるので、前記下部後方支持部６２が底に接することになると、前記下部後方支持部補助支持部６３はヒンジ結合部位を中心に自然に回動して底に接することとなり、前記下部後方支持部６２の支持面積が広くなって安定した支持ができるようになる。
【００６１】
前記折り畳み部支持部４０には、前記下部後方支持部６２が後方に回動する前の状態で前記下部後方支持部補助支持部６３が載置される載置部４１が備えられ、前記載置部４１には磁石４１ａが備えられ（図１１および図１２参照）、前記下部後方支持部補助支持部６３には前記磁石４１ａに付着され得る磁性体６３ａが備えられる。このように磁石４１ａおよび磁性体６３ａを具備することによって、スタンドの機能を使わない場合に、前記下部後方支持部６２が後方に回動することを制限できるようになる。
【００６２】
図７〜図１０はスマートフォンを横方向に立てた状態で据え置かれるようにするスタンドの役割を遂行する状態を示した図面であり、図３および図１３の状態よりスマートフォン１が据え置かれた状態の位置を高くするための作動状態を示す。
【００６３】
図１の状態でケース本体２を回動させてケース本体２が折り畳み部３０と鈍角をなす図３でのような図７の状態で、前記折り畳み部支持部４０の中央部の上に収容されて備えられた折り畳み部支持部用後方支持部６０が、前記折り畳み部支持部４０と逆「Ｖ」字状をなすように前記折り畳み部支持部４０の後方に回動するようにして前記折り畳み部支持部４０の後方を支持するようにすると、図８の状態となる。図８の状態で前記下部後方支持部６２の下端部位の外側にヒンジ結合される下部後方支持部補助支持部６３を回動させて底に接するようにすると、図９の状態になる。スマートフォンの据置高さおよび立て角度の調節のために、前記挿入部６１ａの引き出し長さを調節すると、図１０のような状態となる。
【００６４】
図１１および図１２は、下部後方支持部６２と上部後方支持部６１の結合構造を示した分解斜視図である。
【００６５】
図１１でのように、前記下部後方支持部６２に係止溝６２ｂが備えられ、挿入部結合ガイド６２ａに挿入部６１ａが挿入結合されることを示す。
【００６６】
図１２でのように、前記上部後方支持部６１に「コ」の字状に切開された弾性片６１ｃが備えられ、前記弾性片６１ｃには図１１に図示された係止溝６２ｂに挿入されて係止される係止突起６１ｂが備えられる。
【００６７】
前記係止溝６２ｂから前記係止突起６１ｂが離隔すると、前記挿入部６１ａの引き入れおよび引き出しが可能となる。前記係止溝６２ｂから前記係止突起６１ｂが離隔するようにするためには前記弾性片６１ｃを押圧して離隔するようにする。
【００６８】
併せて、本発明の前記折り畳み部３０および前記折り畳み部支持部４０には、前記ケース本体支持部２０と接した状態で前記ケース本体支持部２０が収容されるようにするケース本体支持部収容溝８０が備えられることが好ましい。前記ケース本体支持部収容溝８０に前記ケース本体支持部２０が収容されることになると、前記折り畳み部３０および前記折り畳み部支持部４０が折り畳まれた状態でケース本体２の背面に接することができるようになり、前記ケース本体支持部２０の露出を最大限減らすことができるようになるため美観を害しなくなる。
【００６９】
また、前記折り畳み部３０および前記折り畳み部支持部４０は、厚さが互いに同じであり、同一平面上に位置されることが好ましい。
【００７０】
図１３はスマートフォン１を横方向に立てた状態で据え置かれるようにする状態を示すが、自撮り棒として使われる前の状態を示す。図１３の状態で折り畳み部支持部４０を前記折り畳み部３０から離隔するように引っ張ると、前記第１伸縮棒５１および第２伸縮棒５２が同時に伸張されて前記折り畳み部支持部４０が自撮り棒の取っ手の役割をすることになる（図１４参照）。図１４の状態で自撮り撮影をすればよい。
【００７１】
本発明は前記折り畳み部支持部４０に前記スマートフォンを充電するための補助バッテリ７０が内部に搭載されることが好ましい（図１１および図１２参照）。
【００７２】
図１５は、前記折り畳み部支持部４０に搭載された補助バッテリ７０を充電するようにする充電ポート４２が備えられ、補助バッテリ７０からスマートフォンを充電できる充電用ポートが前記折り畳み部支持部４０に備えられたことを示す。このような場合にはケース本体支持部２０の付着円形板結合部２１を付着円形板１０から分離させた状態で使用者のスマートフォンまたは他人のスマートフォンを充電することができる。
【００７３】
図１６は、前記折り畳み部支持部４０に搭載された補助バッテリ７０から据え置かれたスマートフォンを充電する状態を示す。このような場合には、スマートフォンを据え置いた状態で充電を遂行しながらスマートフォンの作動を遂行することができる。
【００７４】
併せて、前記折り畳み部支持部４０にはスマートフォンの撮影を遠隔操作するためのリモートコントローラー３が着脱されるリモートコントローラー着脱溝４１が備えられることが好ましい。
【００７５】
図１７は本発明に係る他の形態のスタンドを兼ねた自撮り棒を示した図面であって、前記折り畳み部支持部４０にはリモートコントローラー着脱溝４１が備えられ、リモートコントローラー着脱溝４１にはスマートフォンの撮影を遠隔操作するためのリモートコントローラー３が挿入されて搭載された状態を示す。
【００７６】
前記リモートコントローラー着脱溝４１に挿入された前記リモートコントローラー３はスマートフォンの撮影を遠隔操作するためのものであって、使用者のスマートフォンと連携して作動可能にするブルートゥース（登録商標）機能が備えられたものが公知とされている。
【００７７】
前記折り畳み部支持部４０を前記折り畳み部３０から離隔するように引っ張ると、前記第１伸縮棒５１および第２伸縮棒５２が同時に伸張し、前記折り畳み部支持部４０が自撮り棒の取っ手の役割をする図１４の状態で、前記折り畳み部支持部４０に備えられた前記リモートコントローラー着脱溝４１に搭載される前記リモートコントローラー３を操作して自撮り撮影ができる。
【００７８】
また、スマートフォンが据え置かれる図９または図１０の状態で、前記折り畳み部支持部４０に備えられた前記リモートコントローラー３を前記リモートコントローラー着脱溝４１から分離させると、遠距離でリモートコントローラー３を利用して遠距離撮影を遂行することもできる。
【００７９】
本発明は前記実施例に限定して技術的思想が解釈されてはならない。適用範囲が多様であることは言うまでもなく、特許請求の範囲で請求する本発明の要旨を逸脱することなく当業者の水準で多様な変形実施が可能である。したがって、このような改良および変更は当業者に自明であり、これも本発明の保護範囲に属するものである。
【図１】
2021510208.tif 000003
【図２】
2021510208.tif 000004
【図３】
2021510208.tif 000005
【図４】
2021510208.tif 000006
【図５】
2021510208.tif 000007
【図６】
2021510208.tif 000008
【図７】
2021510208.tif 000009
【図８】
2021510208.tif 000010
【図９】
2021510208.tif 000011
【図１０】
2021510208.tif 000012
【図１１】
2021510208.tif 000013
【図１２】
2021510208.tif 000014
【図１３】
2021510208.tif 000015
【図１４】
2021510208.tif 000016
【図１５】
2021510208.tif 000017
【図１６】
2021510208.tif 000018
【図１７】
2021510208.tif 000019
【国際調査報告】
2021510208.tif 000020
2021510208.tif 000021
2021510208.tif 000022
2021510208.tif 000023